(57)【要約】【課題】中心暗点を有する視野狭窄者でも負担を与えることなく視覚向上を可能にする。【解決手段】視野狭窄者用視覚補助具１は、視野狭窄者の視野評価結果に基づいて得られた視野狭窄者の視覚劣化部に画像投影する表示部１０１を有し、この表示部１０１に投影される画像情報に視覚補強機能が施されている。正視状態で、視野狭窄者の視覚劣化部に相当する領域に表示部１０１の表示エリアＡを配置している。【選択図】図１
2005253541.tif 000002
【特許請求の範囲】
【請求項１】
視野狭窄者の視野評価結果に基づいて得られた視野狭窄者の視覚劣化部に画像投影する表示部を有し、
前記表示部に投影される画像情報に視覚補強機能が施されたことを特徴とする視野狭窄者用視覚補助具。
【請求項２】
正視状態で、前記視野狭窄者の前記視覚劣化部に相当する領域に前記表示部の表示エリアを配置したことを特徴とする請求項１に記載の視野狭窄者用視覚補助具。
【請求項３】
画像情報の映像を表示する表示器と、
前記表示器からの光を眼に導いて映像を提供する接眼光学系とを含む表示部と、
前記表示部の表示エリアに画像情報の映像を表示可能に制御する制御部とを備え、
前記表示部の映像拡大率が、前記視野狭窄者が見られる外界観察像の大きさに対し０．９〜１．１倍であることを特徴とする請求項１または請求項２に記載の視野狭窄者用視覚補助具。
【請求項４】
画像情報変換された情報に基づく映像光を、前記視野狭窄者の網膜の主として前記視覚劣化部に直接投影することを特徴とする請求項１に記載の視野狭窄者用視覚補助具。
【請求項５】
前記表示部の画像が、コントラスト調整、輝度調整、周波数調整、色調調整のいずれかの画像処理が行われていることを特徴とする請求項１乃至請求項４のいずれか１項に記載の視野狭窄者用視覚補助具。
【請求項６】
前記視野狭窄者の暗点部の疾患度合いに応じて、映像の画像処理度合いを変更することを特徴とする請求項５に記載の視野狭窄者用視覚補助具。
【請求項７】
求心性の視野狭窄者の正視状態で暗点部に相当する領域の周辺位置に表示部の表示エリアが設けられることを特徴とする視野狭窄者用視覚補助具。
【請求項８】
画像情報の映像を表示する表示器と、
前記表示器からの光を眼に導いて映像を提供する接眼光学系とを含む表示部と、
前記表示部の表示エリアに画像情報の映像を表示可能に制御する制御部を備え、
前記表示部において、外界の映像と前記表示エリアの画像処理画像を前記視野狭窄者から見ることが可能であり、
前記表示エリア中心が、前記視野狭窄者の正視視野中心に相当する位置より、外側または下側の視野角領域にあることを特徴とする視野狭窄者用視覚補助具。
【請求項９】
画像情報の映像を表示する表示器と、
前記表示器からの光を眼に導いて映像を提供する接眼光学系とを含む表示部と、
前記表示部の表示エリアに画像情報の映像を表示可能に制御する制御部を備え、
前記表示部において、外界の映像と前記表示エリアの画像処理画像を前記視野狭窄者から見ることが可能であり、
前記表示部の前記表示エリアの中心位置が、前記視野狭窄者の正視視野中心に相当する位置から外側の視野角領域にあることを特徴とする視野狭窄者用視覚補助具。
【請求項１０】
画像情報の映像を表示する表示器と、
前記表示器からの光を眼に導いて映像を提供する接眼光学系とを含む表示部と、
前記表示部の表示エリアに画像情報の映像を表示可能に制御する制御部を備え、
前記表示部において、外界の映像と前記表示エリアの画像処理画像を前記視野狭窄者から見ることが可能であり、
前記表示部の前記表示エリアの中心位置が、前記視野狭窄者の正視視野中心に相当する位置から外側３０度の視野角内にあることを特徴とする視野狭窄者用視覚補助具。
【請求項１１】
レンズ面を複数の領域に分割し、そのうちの一つの領域内に視野狭窄者用視覚補助具の画像情報を表示する視野狭窄者用視覚補助具セットであって、
表示位置の異なる複数のレンズを組とすることを特徴とする視野狭窄者用視覚補助具セット。
【請求項１２】
レンズ面を複数の領域に分割し、そのうちの一つの領域内に視野狭窄者用視覚補助具の画像情報を表示する視野測定器セットであって、
表示位置の異なる複数のレンズを組とすることを特徴とする視野測定器セット。
【請求項１３】
請求項１２に記載の視野測定器セットを用いて視野を測定することを特徴とする視野測定方法。
【発明の詳細な説明】
【技術分野】
【０００１】
この発明は、顔前にて使用される視野狭窄者用視覚補助具、視野狭窄者用視覚補助具セット、視野測定器セット及び視野測定方法に関する。
【背景技術】
【０００２】
視野狭窄者は網膜に疾患を有しているため、特定の視野の視覚が劣化している。このうち視野中心部に疾患を有する（中心暗点を有する）視野狭窄者は、視覚の主体となる中心部が劣化しているため、中心窩固視ができなくなり、代償的に中心窩固視以外の固視点を用いて偏心固視を行うことになり、視野狭窄者に多大の負荷を与える。
【０００３】
偏心固視を行うための訓練はｐｒｉｓｍ  ｒｅｌｏｃａｔｉｏｎ法や、タイポスコープを用いたものなど種々の方法が適用されているが、長期的効果は疑問視されている。また、このために、視野狭窄者の精神的負担も大きい。また、特開２００２−２８２２９９号公報には中心部に疾患を有する視野狭窄者の中心外の非疾患部に映像を直接投影する方法が記載されている。
【特許文献１】特開２００２−２８２２９９号公報（第１頁〜第８頁、図１〜図９）
【発明の開示】
【発明が解決しようとする課題】
【０００４】
しかし、この特開２００２−２８２２９９号公報に記載の方法でも中心外の部分に投影させるため視覚は不十分となり、中心部での視覚が重要な読書等を行なうときに障害が残る等の問題がある。
【課題を解決するための手段】
【０００５】
前記課題を解決し、かつ目的を達成するために、この発明は、以下のように構成した。
【０００６】
請求項１に記載の発明は、視野狭窄者の視野評価結果に基づいて得られた視野狭窄者の視覚劣化部に画像投影する表示部を有し、
前記表示部に投影される画像情報に視覚補強機能が施されたことを特徴とする視野狭窄者用視覚補助具である。
【０００７】
請求項２に記載の発明は、正視状態で、前記視野狭窄者の前記視覚劣化部に相当する領域に前記表示部の表示エリアを配置したことを特徴とする請求項１に記載の視野狭窄者用視覚補助具である。
【０００８】
請求項３に記載の発明は、画像情報の映像を表示する表示器と、
前記表示器からの光を眼に導いて映像を提供する接眼光学系とを含む表示部と、
前記表示部の表示エリアに画像情報の映像を表示可能に制御する制御部とを備え、
前記表示部の映像拡大率が、前記視野狭窄者が見られる外界観察像の大きさに対し０．９〜１．１倍であることを特徴とする請求項１または請求項２に記載の視野狭窄者用視覚補助具である。
【０００９】
請求項４に記載の発明は、画像情報変換された情報に基づく映像光を、前記視野狭窄者の網膜の主として前記視覚劣化部に直接投影することを特徴とする請求項１に記載の視野狭窄者用視覚補助具である。
【００１０】
請求項５に記載の発明は、前記表示部の画像が、コントラスト調整、輝度調整、周波数調整、色調調整のいずれかの画像処理が行われていることを特徴とする請求項１乃至請求項４のいずれか１項に記載の視野狭窄者用視覚補助具である。
【００１１】
請求項６に記載の発明は、前記視野狭窄者の暗点部の疾患度合いに応じて、映像の画像処理度合いを変更することを特徴とする請求項５に記載の視野狭窄者用視覚補助具である。
【００１２】
請求項７に記載の発明は、求心性の視野狭窄者の正視状態で暗点部に相当する領域の周辺位置に表示部の表示エリアが設けられることを特徴とする視野狭窄者用視覚補助具である。
【００１３】
請求項８に記載の発明は、画像情報の映像を表示する表示器と、
前記表示器からの光を眼に導いて映像を提供する接眼光学系とを含む表示部と、
前記表示部の表示エリアに画像情報の映像を表示可能に制御する制御部を備え、
前記表示部において、外界の映像と前記表示エリアの画像処理画像を前記視野狭窄者から見ることが可能であり、
前記表示エリア中心が、前記視野狭窄者の正視視野中心に相当する位置より、外側または下側の視野角領域にあることを特徴とする視野狭窄者用視覚補助具である。この発明において、正視視野中心とは、視野狭窄者が負担無く正面方向を見る場合の中心視点をいう。
【００１４】
請求項９に記載の発明は、画像情報の映像を表示する表示器と、
前記表示器からの光を眼に導いて映像を提供する接眼光学系とを含む表示部と、
前記表示部の表示エリアに画像情報の映像を表示可能に制御する制御部を備え、
前記表示部において、外界の映像と前記表示エリアの画像処理画像を前記視野狭窄者から見ることが可能であり、
前記表示部の前記表示エリアの中心位置が、前記視野狭窄者の正視視野中心に相当する位置から外側の視野角領域にあることを特徴とする視野狭窄者用視覚補助具である。
【００１５】
請求項１０に記載の発明は、画像情報の映像を表示する表示器と、
前記表示器からの光を眼に導いて映像を提供する接眼光学系とを含む表示部と、
前記表示部の表示エリアに画像情報の映像を表示可能に制御する制御部を備え、
前記表示部において、外界の映像と前記表示エリアの画像処理画像を前記視野狭窄者から見ることが可能であり、
前記表示部の前記表示エリアの中心位置が、前記視野狭窄者の正視視野中心に相当する位置から外側３０度の視野角内にあることを特徴とする視野狭窄者用視覚補助具である。
【００１６】
請求項１１に記載の発明は、レンズ面を複数の領域に分割し、そのうちの一つの領域内に視野狭窄者用視覚補助具の画像情報を表示する視野狭窄者用視覚補助具セットであって、
表示位置の異なる複数のレンズを組とすることを特徴とする視野狭窄者用視覚補助具セットである。
【００１７】
請求項１２に記載の発明は、レンズ面を複数の領域に分割し、そのうちの一つの領域内に視野狭窄者用視覚補助具の画像情報を表示する視野測定器セットであって、
表示位置の異なる複数のレンズを組とすることを特徴とする視野測定器セットである。
【００１８】
請求項１３に記載の発明は、請求項１２に記載の視野測定器セットを用いて視野を測定することを特徴とする視野測定方法である。
【発明の効果】
【００１９】
前記構成により、この発明は、以下のような効果を有する。
【００２０】
請求項１に記載の発明によれば、視野狭窄者の視野評価結果に基づいて得られた視野狭窄者の視覚劣化部に画像投影する表示部を有し、この表示部に投影される画像情報に視覚補強機能が施され、視覚正常部で見るのではなく、視覚劣化部に写される映像がよりよく見えるように、視覚補強機能を有するようにしている。通常、中心暗点を有する視野狭窄者でもなんらかの中心窩機能が残存する場合が多く、特に初期視野狭窄者に対し有効であり、この残存する機能を利用して、少しでも見えやすい画像を投影することで中心暗点部の視力を増強し、暗点部をより少なくすることで視野狭窄者の負荷を低減することができる。
【００２１】
請求項２に記載の発明によれば、通常顔の正面方向を固視することが多く、負担も少ないため、正視状態で、視野狭窄者の視覚劣化部に相当する領域に表示部の表示エリアを配置することで、視野狭窄者の負荷を低減することができる。
【００２２】
請求項３に記載の発明によれば、表示部の映像拡大率が、視野狭窄者が見られる外界観察像の大きさに対し０．９〜１．１倍であり、正視した場合に中心暗点部に画像処理された補強画像が見られる場合は、観察される映像の拡大率を背景と合わせることで、視野狭窄者が通常生活をおくる上で負担をかけにくい。
【００２３】
請求項４に記載の発明によれば、画像情報変換された情報に基づく映像光を、視野狭窄者の網膜の主として視覚劣化部に直接投影することで、視野狭窄者の負荷を低減することができる。
【００２４】
請求項５に記載の発明によれば、表示部の画像が、コントラスト調整、輝度調整、周波数調整、色調調整のいずれかの画像処理が行われ、視野狭窄者の疾患の内容により画像処理されることが好ましく、特に視野狭窄者の見えやすい範囲の輝度に輝度圧縮することが好ましい。
【００２５】
請求項６に記載の発明によれば、視野狭窄者の暗点部の疾患度合いに応じて、映像の画像処理度合いを変更し、相当する画像部分の画像処理を行うことが好ましく、これにより暗点のより中心部まで見られるようになる。
【００２６】
請求項７に記載の発明によれば、求心性の視野狭窄者の正視状態で暗点部に相当する周辺位置に表示部の表示エリアが設けられ、正視状態で通常の観察映像が見られるし、視線を暗部のほうにずらして映像を見ると広角画像が見られる。
【００２７】
請求項８に記載の発明によれば、表示部において、外界の映像と表示エリアの画像処理画像を視野狭窄者から見ることが可能であり、表示エリア中心が、視野狭窄者の正視視野中心に相当する位置より、外側または下側の視野角領域にあり、正視状態で補助映像が見えやすい場合が多く、歩行等の通常生活に活用することができる。
【００２８】
請求項９に記載の発明によれば、表示部の表示エリアの中心位置が、視野狭窄者の正視視野中心に相当する位置から外側の視野角領域にあり、正視状態で補助映像が見えやすい場合が多く、歩行等の通常生活に活用することができる。
【００２９】
請求項１０に記載の発明によれば、表示部の表示エリアの中心位置が、視野狭窄者の正視視野中心に相当する位置から外側３０度の視野角内にあり、正視状態で補助映像が見えやすい場合が多く、歩行等の通常生活に活用することができる。
【００３０】
請求項１１に記載の発明によれば、視野狭窄者用視覚補助具の画像情報を表示する視野狭窄者用視覚補助具セットは、表示位置の異なる複数のレンズを組としており、このうちの一つを選んで用いることで、歩行等の通常生活に最適な眼鏡を安価にかつ簡単に活用することができる。
【００３１】
請求項１２に記載の発明によれば、視野狭窄者用視覚補助具の画像情報を表示する視野測定器セットは、表示位置の異なる複数のレンズを組としており、このうちの一つを選んで用いることで、簡単かつ安価に視野測定が行える。
【００３２】
請求項１３に記載の発明によれば、請求項１２に記載の視野測定器セットを用いて、補助映像を映写した場合に正面点光源と映像の両方が見えるかどうかで簡易な視野測定ができる。
【発明を実施するための最良の形態】
【００３３】
以下、この発明の視野狭窄者用視覚補助具、視野狭窄者用視覚補助具セット、視野測定器セット及び視野測定方法の実施の形態について説明するが、この発明は、この実施の形態に限定されない。また、この発明の実施の形態は、発明の最も好ましい形態を示すものであり、この発明の用語はこれに限定されない。
【００３４】
この発明の視野狭窄者用視覚補助具１は、図１に示すように構成される。図１は視野狭窄者用視覚補助具の側面図の一例である。この実施の形態の視野狭窄者用視覚補助具１は、画像情報の映像を表示する透過型の液晶表示器（ＬＣＤ）等で構成される表示器１００と、この表示器１００からの光を眼に導いて映像を提供するプリズム、ホログラム素子等の接眼光学系とを含む表示部１０１と、この表示部１０１は眼鏡レンズ１２０の表示エリアＡに画像情報の映像を表示可能に制御する制御部１０２とを備える。
【００３５】
この実施の形態では、視野狭窄者の視野評価結果に基づいて得られた視野狭窄者の眼球１１０に生じている視覚劣化部１１１に画像投影する表示部１０１を有し、この表示部１０１に投影される画像情報に視覚補強機能が施されている。表示部１０１の表示エリアＡには、視覚補強機能が施された画像情報の映像を表示し、この視覚補強された画像が視覚劣化部１１１に投影され、眼鏡レンズ１２０を通して背景画像Ｂは正常網膜部１１２に投影される。
【００３６】
このように、表示部１０１に投影される画像情報に視覚補強機能が施され、正常網膜部１１２で見るのではなく、視覚劣化部１１１に写される映像がよりよく見えるように、視覚補強機能を有するようにしている。通常、中心暗点を有する視野狭窄者でもなんらかの中心窩機能が残存する場合が多い。特に、初期視野狭窄者に対し有効であり、この残存する機能を利用して、少しでも見えやすい画像を投影することで中心暗点部の視力を増強し、暗点部をより少なくすることで視野狭窄者の負荷を低減することができる。
【００３７】
また、この発明の視野狭窄者用視覚補助具１は、図２に示すように構成される。図２は視野狭窄者用視覚補助具の正面図である。この実施の形態の視野狭窄者用視覚補助具１は、正視状態で、視野狭窄者の視覚劣化部１１１に相当する領域に表示部１０１の表示エリアＡを配置している。このように、正視した場合の中心暗点部を覆うように表示部１０１の表示エリアＡが設置されることが好ましい。
【００３８】
視野狭窄者の補助眼鏡に表示部１０１を設ける場合には、偏心固視で、中心暗点以外の部分で視野狭窄者がその表示部１０１を見た場合には暗点補強とはならないため効果が発揮できない。この実施の形態では、正視状態で、視野狭窄者の視覚劣化部１１１に相当する領域に表示部１０１の表示エリアＡを配置しており、視野狭窄者は常に顔の正面方向を固視することが多く、視野狭窄者の負荷を低減することができる。
【００３９】
また、この発明の視野狭窄者用視覚補助具１は、図３に示すように構成される。この実施の形態の視野狭窄者用視覚補助具１は、画像情報の映像を表示する表示器１００と、この表示器１００からの光を眼に導いて映像を提供する接眼光学系とを含む表示部１０１と、表示部１０１の表示エリアＡに画像情報の映像を表示可能に制御する制御部１０２とを備え、この制御部１０２の制御により表示部１０１の映像拡大率が、視野狭窄者が見られる外界観察像の大きさに対し０．９〜１．１倍である。
【００４０】
図４は視野狭窄者用視覚補助具１を通してみた場合の視野狭窄者の映像の模式図であり、正視した場合には、中心暗点部に画像処理された補強画像が見られる。この場合は、補強画像は背景画像と重なって見られるため、観察される映像の拡大率を背景と合わせることが、視野狭窄者が通常生活をおくるうえで負担をかけにくい。この実施の形態では、表示部１０１の表示エリアＡの映像拡大率が、視野狭窄者が見られる外界観察像の大きさに対し０．９〜１．１倍であり、観察される映像の拡大率を背景と合わせることで、視野狭窄者が通常生活をおくる上で負担をかけにくい。
【００４１】
図５は視野狭窄者用視覚補助具の他の実施の形態の側面図の一例である。この実施の形態の視野狭窄者用視覚補助具１は、画像情報の映像を表示する発光素子等の表示器１００と、この表示器１００からの光を眼に導いて映像を提供するミラー等の接眼光学系とを含む表示部１０１と、表示部１０１の表示エリアＡに画像情報の映像を表示可能に制御する制御部１０２とを備え、画像情報変換された情報に基づく映像光を、視野狭窄者の網膜の主として視覚劣化部１１１に直接投影する。このように、画像情報変換された情報に基づく映像光を、視野狭窄者の網膜の主として視覚劣化部１１１に直接投影することで、視野狭窄者の負荷を低減することができる。
【００４２】
また、この実施の形態の視野狭窄者用視覚補助具１は、制御部１０２により  表示部１０１の画像は、コントラスト調整、輝度調整、周波数調整、色調調整のいずれかの画像処理が行われる。この画像処理は、視野狭窄者の疾患の内容により画像処理されることが好ましく、特に視野狭窄者の見えやすい範囲の輝度に輝度圧縮することが好ましい。例えば周波数調整の画像処理では、図６に示すように、輪郭強調することで外界の物体の輪郭を捉えやすくなる。また、色調調整の画像処理では、特定の色を強調し、またモノクロ化して表示し、色盲等の視覚障害を有する視野狭窄者に見易いようにすることができる。また、色弱などの場合に従来区別がつかなかった色が画面上で色変換処理されて別の濃度または色で表示することで、見易いようにすることができる。また、視野狭窄者の視覚障害により輝度圧縮の画像処理では、対数変換してコントラストを落して表示することで見易くしたり、全体に輝度を上げることにより見易いようにすることができる。
【００４３】
図７は画像処理度合いの分布を示す模式図であり、例えば図７（ａ）に示すように視野狭窄者の暗点部の疾患分布が中心暗点度グレード１〜３であると、図７（ｂ）に示すように、映像の画像処理度合いを対応させて画像処理グレード１〜３とする。このように、視野狭窄者の暗点部の疾患度合いに応じて、映像の画像処理度合いを変更し、相当する画像部分の画像処理を行うことが好ましく、これにより暗点のより中心部まで見られるようになる。
【００４４】
図８は視野狭窄者用視覚補助具の他の実施の形態を示す正面図である。この実施の形態の視野狭窄者用視覚補助具１は、求心性の視野狭窄者の正視状態で暗点部に相当する周辺位置に表示部１０１の表示エリアＡが設けられる。求心性の視野狭窄者では、中心部の視力はあるが、限られた範囲でしか視力がないため、中心位置に注意すれば読書も訓練すれば可能となる。但し、視野がせまいため、一旦視線をずらすと、もとの視点を見失いやすいということが生じやすい。このため、広角の補助画像を提供する方法もあるが、補助画像で広角画像を見てあたりをつけ、また通常に見はじめた場合に、視点が見失われやすくまた、頻繁に、補助具の取り替えが必要である。
【００４５】
この実施の形態の視野狭窄者用視覚補助具１では、求心性の視野狭窄者が正視した場合の暗点部（周辺部）に相当する位置に表示部１０１の表示エリアＡを備える。この表示部１０１の表示エリアＡの部分に広角画像を表示することが好ましい。これにより、正視状態で通常の観察映像が見られるし、視線を暗部のほうにずらして映像を見ると広角画像が見られる。この際、広角画像が背景画像と重なって見えると、広角画像中のどの部分に現在の視線があるかを把握できるので、好ましい。視線を元に戻すと、あたりを付けた通常画像が見られる。
【００４６】
したがって、求心の可視視野と正視時の暗部に設置された表示部１０１の表示エリアＡは隣接すると視線をずらす角度が狭くより好ましい。また、眼鏡レンズ１２０上の正視時の可視相当範囲と、映像表示位置はほぼ水平またはほぼ垂直関係にあるほうが、視線をずらした場合に視点を見失いにくいのでより好ましい。最も好ましいのは、ほぼ水平の関係にあることである。また、例えば、表示部１０１の表示エリアＡの部分に拡大画像を表示するようにしてもよい。
【００４７】
図９は視野狭窄者用視覚補助具の他の実施の形態を示す正面図である。この実施の形態の視野狭窄者用視覚補助具１は、表示部１０１において、外界の映像と表示エリアＡの画像処理画像を視野狭窄者から見ることが可能であり、表示エリアＡ中心が、視野狭窄者の正視視野中心Ｃに相当する位置より、外側または下側の視野角領域Ｄにある。このように、表示部１０１において、外界の映像と表示エリアＡの画像処理画像を視野狭窄者から見ることが可能であり、表示エリアＡの中心が、視野狭窄者の正視視野中心Ｃに相当する位置より、外側または下側の視野角領域Ｄにあり、正視状態で補助映像が見えやすい場合が多く、歩行等の通常生活に活用することができる。
【００４８】
図１０は視野狭窄者用視覚補助具の他の実施の形態を示す正面図である。この実施の形態の視野狭窄者用視覚補助具１は、表示部１０１の表示エリアＡの中心位置が、視野狭窄者の正視視野中心Ｃに相当する位置から外側の視野角領域Ｄにある。このように、表示部１０１の表示エリアＡの中心位置が、視野狭窄者の正視視野中心Ｃに相当する位置から外側の視野角領域Ｄにあり、正視状態で補助映像が見えやすい場合が多く、歩行等の通常生活に活用することができる。
【００４９】
図１１は視野狭窄者用視覚補助具の他の実施の形態を示す正面図である。この実施の形態の視野狭窄者用視覚補助具１は、表示部１０１において、外界の映像と表示エリアＡの処理画像を視野狭窄者から見ることが可能であり、表示部１０１の表示エリアＡの中心位置が、視野狭窄者の正視視野中心Ｃに相当する位置から外側３０度の視野角内にある。このように、表示部１０１の表示エリアＡの中心位置が、視野狭窄者の正視視野中心Ｃに相当する位置から外側３０度の視野角内、例えば２度、あるいは０度、３０度の視野角内にあり、正視状態で補助映像が見えやすい場合が多く、歩行等の通常生活に活用することができる。
【００５０】
図１２は視野狭窄者用視覚補助具セットの実施の形態を示す正面図である。この実施の形態の視野狭窄者用視覚補助具セット２０１は、眼鏡レンズ１２０のレンズ面を複数の領域に分割し、この実施の形態では５分割し、領域Ｆ１〜Ｆ５とする。そのうちの一つの領域内に図１乃至図１０に示すいずれかの視野狭窄者用視覚補助具１の表示部１０１の表示エリアＡを設けて画像情報を表示し、視野狭窄者用視覚補助具セット２０１としている。この視野狭窄者用視覚補助具セット２０１は、表示位置の異なる複数のレンズを組としおり、このうちの一つを選んで用いることで、歩行等の通常生活に最適な眼鏡を安価にかつ簡単に活用することができる。また、この視野狭窄者用視覚補助具セット２０１は、視野狭窄者用視覚補助具の画像情報を表示する視野測定器セットとし、このうちの一つを選んで用いることができる。
【００５１】
例えば、視野狭窄者の疾患状況、暗点分布状況に応じた補助眼鏡を得るには、視野狭窄者の視野測定が必要である。ロービジョンケア対象者は一般に、視力障害に、視野障害も合わせもっている。このため、簡易な視力検査（アムスラーチャートやゴールドマン視野計）では、正確に測りにくい（見えない視野で視力検査して、低い視力と誤られ、適切な補助用具が得られない）という問題があった。正確な測定には、特殊な視野測定（例えば、レーザー光走査法を用いた、Ｓｃａｎｎｎｉｎｎｇ  ｌａｓｅｒ  Ｏｐｈｔｈａｌｍｏｓｃｏｐｅ）が必要であり高価であり簡便ではなかった。視野狭窄者の症状に応じた補助眼鏡を簡易に提供したり、多くの患者にとって見易い補助眼鏡の提供は困難であった。また、視野狭窄者の疾患状況に応じた眼鏡をそれぞれに作成することはコストの増大となり、結局視野狭窄者に経済的な負担が増大することになる。
【００５２】
そこで、視野状況測定及び視力補強の簡易な方法を検討し、レンズ面を複数の領域に分割し、そのうちの一つの領域内に補助画像を表示した眼鏡を分割領域それぞれに作成した。このセットを使用して視野狭窄者に正視状態で補助画像の観察状態を確認することにより簡易に視野測定ができた。分割数は多いほうが多様な視野狭窄者に対応でき好ましいが、コストも増加するため、領域分割は図１２に示すように視野中心を中心にした４分割、中心部分を含む５分割であることが好ましい。
【００５３】
具体的には、視野狭窄者は暗室内に入り各眼鏡を取り付け、正視状態を保つため、正面の点光源を正視する。この状態で補助映像を映写した場合に正面点光源と映像の両方が見えるかどうかで簡易な視野測定ができる。
【００５４】
このような簡易な視野測定方法を用いて、視野狭窄者の多い緑内障患者の視野測定を行った。これらの視野狭窄者の多くは、図９乃至図１１に示す視野狭窄者用視覚補助具１の眼鏡により、正視状態で補助映像が見えやすい場合が多く、歩行等の通常生活に活用することができる。
【００５５】
この実施の形態の視野狭窄者用視覚補助具は、図１３及び図１６に示すように構成されるが、これに限定されない。図１３は視野狭窄者用視覚補助具の外観を示す図である。この実施の形態の視野狭窄者用視覚補助具１は、１つの表示部１０、撮像部５０、画像処理部６０、制御部７０、データ入力部８０、左右１対のプリズム２０Ｌ、２０Ｒ、鼻当て３１、左右１対のテンプル３２Ｌ、３２Ｒよりなり、プリズム２０Ｌ、２０Ｒが左右の眼の前に位置するように視野狭窄者の顔前に装着される。
【００５６】
図１３では、画像処理部６０、制御部７０、データ入力部８０が表示部１０と共に取り付けられているが、図１４に示すように、画像処理部６０、制御部７０、データ入力部８０は、装置ユニット９０に一体に組み込み、ケーブル９１で撮像部５０および表示部１０に電源を与え、信号の送受信を行なうようにしてもよい。
【００５７】
鼻当て３１は、プリズム２０Ｌ、２０Ｒに取り付けられており、これらを連結している。テンプル３２Ｌ、３２Ｒは、それぞれプリズム２０Ｌ、２０Ｒの端部に取り付けられている。装着時には、鼻当て３１が鼻に当たり、テンプル３２Ｌ、３２Ｒが耳、側頭部または後頭部に当たって、視野狭窄者用視覚補助具１は、これら３部位で支持される。テンプル３２Ｌ、３２Ｒは、プリズム２０Ｌ、２０Ｒ近傍の部位に設けられた垂直方向の軸（不図示）を中心に回動可能であり、非使用時には内側に折り畳むことができる。
【００５８】
表示部１０は、右のプリズム２０Ｒに取り付けられている。表示部１０を含む断面を図１５に示す。表示部１０は、透過型の液晶表示器（ＬＣＤ）１１、筺体１２、プリズム１３、発光ダイオード（ＬＥＤ）１４、およびレンズ１５よりなる。ＬＣＤ１１は視野狭窄者に表示するための映像を表示し、表示した映像により照明光を変調する。筺体１２は、ＬＣＤ１１、ＬＥＤ１４およびレンズ１５を収容してこれらを保持する。ＬＥＤ１４はＬＣＤ１１を照明するための光源であり、レンズ１５はＬＥＤ１４が発した光をＬＣＤ１１の全面に均一に導くための照明光学系である。
【００５９】
ＬＣＤ１１の映像の表示やＬＥＤ１４の発光は、制御部７０によって制御され、撮像部５０で撮像した画像情報を画像処理部６０により画像処理し、電力や映像信号を供給する。
【００６０】
プリズム１３は平板状であり、透明なガラスまたは樹脂で作製されている。プリズム１３はＬＣＤ１１からの光を視野狭窄者の眼Ｅに導いて、ＬＣＤ１１に表示された映像の虚像を表示する。プリズム１３の上端部は、縁の方が内部側よりも厚いくさび状とされており、筺体１２はこのくさび状の上端部を挟むようにして、プリズム１３に取り付けられている。
【００６１】
プリズム２０Ｌは平板状であり、単一の部材で構成されている。プリズム２０Ｒも平板状であるが、単一の部材ではなく、プリズム１３とプリズム２１で構成されている。プリズム２０Ｌおよびプリズム２１は、プリズム１３と同じ材料で作製されており、これら３者に屈折率の差はない。プリズム２０Ｒを成すプリズム１３とプリズム２１は相補的な形状を有し、隙間なく、かつ表面が連続するように接合されている。プリズム１３がくさび状の上端部を有することを除いて、プリズム２０Ｌ、２０Ｒは一般的な眼鏡同様対称形である。視野狭窄者用視覚補助具１を顔前に装着した視野狭窄者は、プリズム２０Ｌ、２０Ｒを通して外界を観察することになる。
【００６２】
プリズム１３の下端部は、縁に向かうほど前面（眼Ｅから遠い面）が後面（眼Ｅに近い面）に近づくように作製されており、くさび状である。このくさび状の部位の前面すなわちプリズム２１との接合面は平面であり、この平面にはホログラム素子２２が形成されている。ホログラム素子は２２、装着時に眼Ｅの直前に位置する。プリズム１３およびホログラム素子２２が接眼光学系１６を構成する。
【００６３】
プリズム１３は、ＬＣＤ１１からの光を、上端部の端面より内部に導き入れ、前面と後面で複数回全反射しながら、ホログラム素子２２に導く。ホログラム素子２２は、導かれた光を回折させて、平行光に近い光束としながら、眼Ｅに入射させる。これにより、視野狭窄者には、ＬＣＤ１１に表示された映像の虚像が表示される。ホログラム素子２２は外界からの光にはほとんど作用せず、虚像は外界の像の中央部に重なって観察される。
【００６４】
視野狭窄者用視覚補助具１では、ＬＣＤ１１からの光をプリズム１３の内部で反射しながらホログラム素子２２に導くようにしているため、プリズム２０Ｒを大きくすることが可能である。プリズム１３の下端部はくさび状であるが、同じ材質のプリズム２１に接合されているため、プリズム１３の下端部を透過する外界からの光に屈折は生じない。したがって、外界の像の中央部が歪んだり不連続になったりすることもなく、視野狭窄者用視覚補助具１は質の高い像を表示することができる。
【００６５】
ＬＣＤ１１は左右方向に長い長方形状であり、十数文字が横方向に並ぶ文字列を１〜数行表示することができる。このため、視野狭窄者は、映像から多くの情報を一度に得ることが可能である。なお、この実施の形態では、右眼に映像を表示するようにしているが、もちろん、左眼に映像を表示するようにしてもよい。
【００６６】
この他の実施の形態の視覚補助表示装置１の外観を図１６に示す。この実施の形態の視覚補助表示装置１は、１対の表示部１０Ｌ、１０Ｒを備えて左右両眼に映像を表示するとともに、プリズム２０Ｌ、２０Ｒにパワーをもたせて、使用者の視力を矯正し得るようにしたものである。表示部１０Ｌ、１０Ｒの構成は、プリズム１３Ｌ、１３Ｒが曲率を有する点を除き、図１３乃至図１５の実施形態の視覚補助表示装置１の表示部１０と同様の構成である。
【００６７】
プリズム２０Ｌ、２０Ｒのパワーは使用者の視力に応じて設定する。プリズム２０Ｌ、２０Ｒに負のパワーをもたせることで近視を、正のパワーをもたせることで遠視を矯正することができる。プリズム１３Ｌ、１３Ｒの下端部のプリズム２１Ｌ、２１Ｒとの接合面は平面とされており、ホログラム素子２２Ｌ、２２Ｒの形成は容易である。
【００６８】
この実施の形態の視野狭窄者用視覚補助具は、視野狭窄者用眼鏡または視野狭窄者用眼鏡補助具として用いられ、視野狭窄者用眼鏡について説明したが、通常眼鏡に取り付け付属させるタイプの眼鏡補助具としても使用することができる。
【００６９】
また、この発明は、特開２００１−３０５４７６の請求項１〜９及び明細書に示される映像表示装置を使用することが好ましい。この映像表示装置を使用するとホログラム発光画像と通常の背景透過画像を同時に観察でき、この発明の効果を出すのに有効である。
【産業上の利用可能性】
【００７０】
この発明は、視野狭窄者の視野評価結果に基づいて得られた視野狭窄者の視覚劣化部に画像投影する表示部を有し、表示部に投影される画像情報に視覚補強機能が施される視野狭窄者用視覚補助具、視野狭窄者用視覚補助具セット、視野測定器セット及び視野測定方法等に適用できる。
【図面の簡単な説明】
【００７１】
【図１】視野狭窄者用視覚補助具の側面図の一例である。
【図２】視野狭窄者用視覚補助具の正面図である。
【図３】視野狭窄者用視覚補助具の正面図である。
【図４】視野狭窄者用視覚補助具を通してみた場合の視野狭窄者の映像の模式図である。
【図５】視野狭窄者用視覚補助具の他の実施の形態の側面図の一例である。
【図６】画像処理した表示を示す図である。
【図７】画像処理度合いの分布を示す模式図である。
【図８】視野狭窄者用視覚補助具の他の実施の形態を示す正面図である。
【図９】視野狭窄者用視覚補助具の他の実施の形態を示す正面図である。
【図１０】視野狭窄者用視覚補助具の他の実施の形態を示す正面図である。
【図１１】視野狭窄者用視覚補助具の他の実施の形態を示す正面図である。
【図１２】視野狭窄者用視覚補助具セットの実施の形態を示す正面図である。
【図１３】視野狭窄者用視覚補助具の外観を示す図である。
【図１４】他の視野狭窄者用視覚補助具の外観を示す図である。
【図１５】視覚補助表示装置の表示部を含む断面図である。
【図１６】他の視覚補助表示装置の外観を示す図である。
【符号の説明】
【００７２】
１  視野狭窄者用視覚補助具
１０  表示部
５０  撮像部
６０  画像処理部
７０  制御部
１００  表示器
１０１  表示部
１０２  制御部
１１０  眼球
１１１  視覚劣化部
１１２  正常網膜部
１２０  眼鏡レンズ
２０１  視野狭窄者用視覚補助具セット
Ａ  表示エリア
Ｂ  背景画像
Ｃ  正視視野中心
Ｄ  視野角領域
【図１】
2005253541.tif 000003
【図２】
2005253541.tif 000004
【図３】
2005253541.tif 000005
【図４】
2005253541.tif 000006
【図５】
2005253541.tif 000007
【図６】
2005253541.tif 000008
【図７】
2005253541.tif 000009
【図８】
2005253541.tif 000010
【図９】
2005253541.tif 000011
【図１０】
2005253541.tif 000012
【図１１】
2005253541.tif 000013
【図１２】
2005253541.tif 000014
【図１３】
2005253541.tif 000015
【図１４】
2005253541.tif 000016
【図１５】
2005253541.tif 000017
【図１６】
2005253541.tif 000018